(57)【特許請求の範囲】
【請求項１】
側壁の一部が他よりも低い高さに形成され該側壁の一部の上方に形成された開口を開閉させる扉部が設けられた浴槽と、
該浴槽内部に設置可能な着座部と、
該着座部が着脱可能で該着座部が取り付けられる取付部と、
該取付部を所定の位置に支持する支持部と、を備え、
前記着座部には、前記浴槽内部に設置可能な第１着座部と、前記浴槽内部に設置可能であるとともに車椅子の台車部に着脱可能な第２着座部とのいずれか一方が選択可能となっており、
前記支持部は、前記取付部を浴槽の一端側とこれに対向する他端側とに切り替えて位置させる揺動部材を備えて前記取付部の位置を変更可能にしたことを特徴とする入浴システム。
【発明の詳細な説明】
【技術分野】
【０００１】
本発明は、介護を必要とする要介護者を入浴させるための入浴システムに関する。
【背景技術】
【０００２】
従来より、病人や寝たきりの老人、身体障害者等の介護を必要とする要介護者を入浴させるための入浴システムが使用されている。
例えば、特許文献１には、入浴する要介護者が座ることのできる着座部が設けられた入浴システムが開示されている。この入浴システムでは、要介護者を乗降させる乗降位置から、浴槽中央側に位置し要介護者を入浴させる入浴位置まで着座部が回転しながら移動し、入浴位置で着座部が昇降可能に構成されていて、着座部を回転および移動可能に支持する支持機構を備えている。
また、特許文献２には、着座部が台車部に着脱可能な車椅子を使用し、要介護者を乗せた状態の着座部を台車部から浴槽内の所定の位置に移動・固定させて、要介護者を入浴させる入浴システムが開示されている。
【先行技術文献】
【特許文献】
【０００３】
【特許文献１】特開２００９−２２５４６号公報
【特許文献２】特開２００８−１９４１８３号公報
【発明の概要】
【発明が解決しようとする課題】
【０００４】
しかしながら、介護施設などにおいて、例えば、車椅子を必要とする・しないなどの介護度の異なる複数人の要介護者を、その介護度にあった入浴システムを使用して入浴させる場合、介護者は、異なる入浴システム間を移動する必要があり、この移動に時間がかかっている。このため、必然的に要介護者の入浴のケアを行う介護者の人数が多くなり、その他のケアを行う介護者の人数が不足する虞がある。
また、要介護者の介護度は、加齢により重度化することが考えられるため、介護度が変わった場合にも同一の入浴システムで対応できることが望まれている。
【０００５】
本発明は、上述する事情に鑑みてなされたもので、異なる介護度の要介護者が使用することができる入浴システムを提供することを目的とする。
【課題を解決するための手段】
【０００６】
上記目的を達成するため、本発明に係る入浴システムは、側壁の一部が他よりも低い高さに形成され該側壁の一部の上方に形成された開口を開閉させる扉部が設けられた浴槽と、該浴槽内部に設置可能な着座部と、該着座部が着脱可能で該着座部が取り付けられる取付部と、該取付部を所定の位置に支持する支持部と、を備え、前記着座部には、前記浴槽内部に設置可能な第１着座部と、前記浴槽内部に設置可能であるとともに車椅子の台車部に着脱可能な第２着座部のいずれか一方が選択可能となっており、前記支持部は、前記取付部を浴槽の一端側とこれに対向する他端側とに切り替えて位置させる揺動部材を備えて前記取付部の位置を変更可能にしたことを特徴とする。
【０００７】
本発明では、浴槽は、側壁の一部が他よりも低い高さに形成され該側壁の一部の上方に形成された開口を開閉させる扉部が設けられていることにより、要介護者または要介護者を乗せた着座部を浴槽の上方まで持ち上げる必要がなく、開口を通じて浴槽内または浴槽外へ安全かつ簡便に移動させることができる。
そして、着座部には、浴槽内部に設置可能な第１着座部と、浴槽内部に設置可能であるとともに車椅子の台車部に着脱可能な第２着座部のいずれか一方が選択可能となっていることにより、１つの入浴システムで車椅子を使用する要介護者と車椅子を必要としない要介護者とが入浴することができる。
【０００８】
しかも、本発明に係る入浴システムでは、前記支持部は、前記支持部は、前記取付部を浴槽の一端側とこれに対向する他端側とに切り替えて位置させる揺動部材を備えて前記取付部の位置を変更可能にしたことを特徴とする。
このように、支持部は、取付部の位置を変更可能であることにより、要介護者にあわせて取付部に取り付けられる着座部の位置や向きを変更することができる。例えば、要介護者が右半身、左半身の一方が不自由な場合に、着座部の向きを調整することで、要介護者が入浴しやすい向きとすることができる。
【０００９】
また、本発明に係る入浴システムでは、前記取付部には前記開口部へ向かって延在する取付部レールが設けられ、前記台車部には該台車部の側方へ延在するとともに前記取付部レールと連続可能な台車部レールが設けられていて、前記第２着座部は、前記取付部レールおよび前記台車部レールに沿って移動可能であることが好ましい。
このように、取付部には開口へ向かって延在する取付部レールが設けられ、台車部には該台車部の側方へ延在するとともに取付部レールと連続可能な台車部レールが設けられていて、第２着座部は、取付部レールおよび台車部レールに沿って移動可能であることにより、第２着座部の台車部と取付部との間の移動を容易にかつ簡便に行うことができる。
【００１０】
また、本発明に係る入浴システムでは、前記支持部は、前記開口部と対向する前記浴槽の側壁近傍に設けられていて、前記取付部は前記着座部が取り付けられていないときに前記側壁に沿うように折りたたみ可能であることが好ましい。
このように、支持部は、開口と対向する浴槽の側壁近傍に設けられていて、取付部は着座部が取り付けられていないときに側壁に沿うように折りたたみ可能であることにより、取付部を折りたためば、浴槽内部を広く使用することができ、着座部を必要としない使用者も浴槽の底部に直接座るようにして入浴することができる。
【発明の効果】
【００１１】
本発明によれば、着座部には、浴槽内部に設置可能な第１着座部と、浴槽内部に設置可能であるとともに車椅子の台車部に着脱可能な第２着座部のいずれか一方が選択されることにより、１つの入浴システムで車椅子を使用する要介護者と車椅子を必要としない要介護者とが入浴することができる。
しかも、支持部は、取付部の位置を変更可能であることにより、要介護者にあわせて取付部に取り付けられる着座部の位置や向きを変更することができる。例えば、要介護者が右半身、左半身の一方が不自由な場合に、着座部の向きを調整することで、要介護者が入浴しやすい向きとすることができる。
【図面の簡単な説明】
【００１２】
【図１】本発明の実施形態による入浴システムの一例を示す図である。
【図２】浴槽の扉部が上昇した様子を示す図である。
【図３】第２着座部が取り付けられる前の様子を示す図である。
【図４】第２着座部が取り付けられた様子を示す図である。
【図５】第１着座部の下面に設けられた突起部を説明する図である。
【図６】取付部レール、台車部レールおよび車輪を説明する図である。
【図７】着座部が取りつけられていない様子を示す図である。
【図８】取付部が折りたたまれた様子を示す図である。
【図９】第１着座部の向きを変えた図である。
【発明を実施するための形態】
【００１３】
以下、本発明の実施形態による入浴システムについて、図１乃至図９に基づいて説明する。
（入浴システム）
図１に示すように、本実施形態による入浴システム１は、浴槽２と、浴槽２内に設置され要介護者（不図示）が着座する着座部３と、着座部３が着脱可能でこの着座部３が取り付けられる取付部４と、取付部４を所定の位置に支持する支持部５と、給湯手段（不図示）や浴槽２に張るために十分な湯を蓄えることのできるタンク６１を備える給湯部６と、入浴システム１の操作を行うための操作部７とを備えている。
【００１４】
浴槽２は、平面視略長方形の底部２１と、その四辺から立設する４つの側壁２２ａ〜２２ｄとを備えている。４つの側壁２２ａ〜２２ｄのうちの第１側壁２２ａは、他の側壁２２ｂ〜２２ｄと比べて高さが低く形成されている。ここで、第１側壁２２ａの直上で、第１側壁２２ａの上端部の高さから他の側壁２２ｂ〜２２ｃの上端部の高さまでの領域を開口２３として以下説明する。
そして、浴槽２には、開口２３が形成されていることにより、要介護者および着座部３をこの開口２３を通過させて、浴槽２の内側から外側、または浴槽２の外側から内側へ移動させることができる。
【００１５】
また、第１側壁２２ａの外側には、第１側壁２２ａに沿って上下方向にスライド可能な扉部２４が設けられている。
扉部２４は、図２に示すように、上昇したときに上端部２４ａが他の側壁２２ｂ〜２２ｄの上端部の高さに達するように構成されていて、上下にスライドすることで第１側壁２２ａ上方の開口２３を開閉することができる。また、扉部２４は、上方へ移動して開口２３を閉じた状態において、扉部２４の浴槽２側の面の両側端部および下端部に設けられた不図示のシール部材が、この開口２３の上方を除く周囲３方を密閉できるよう構成されている。
ここで、第１側壁２２ａと、第１側壁と対向する第２側壁２２ｃとを結ぶ方向（図１における矢印Ａの方向）を前後方向とし、第１側壁２２ａ側を前側、第２側壁２２ｃ側を後側として以下説明する。
【００１６】
着座部３には、図１に示す入浴システム１のみで使用可能な第１着座部３Ａと、図３および図４に示すように入浴システム１で使用可能であるとともに床面Ｆを走行する台車部８１（図３参照）に載置可能な第２着座部３Ｂの２つがあり、これらのうちの一方が選択される。図３に示すように、第２着座部３Ｂは、台車部８１とともに入浴用の車椅子８の構成部材となっている。
【００１７】
図１に示すように、第１着座部３Ａは、第１座面３１と、第１座面３１と連結された第１背もたれ３２とを備えていて、第１座面３１が取付部４に着脱可能に構成されている。
また、図５に示すように、第１着座部３Ａは、第１座面３１の下面から下方に突出する突起部３３が形成されている。この突起部３３は、第１座面３１に固定された円柱状の円柱部材３４と、円柱部材３４の突出側の先端に取り付けられていて円柱部材３４よりも径が大きい円板状の円板部材３５とを備えている。
この突起部３３は、後述する取付部４に形成された突起部挿通孔４５に挿通される。
【００１８】
図３および４に示すように、第２着座部３Ｂは、第２座面３６と第２背もたれ３７とを備えていて、第２座面３６が取付部４および台車部８１（図３参照）に着脱可能に構成されている。
図３に示すように、台車部８１は、第２座面３６が載置されるフレーム８２と、フレーム８２の下部に設置されて床面Ｆを走行する台車部車輪８３と、を備えている。
そして、フレーム８２には、車椅子８が走行する方向（図３の矢印Ｂの方向）と直交する方向に延在する一対の台車部レール８４，８４が設けられている。この一対の台車部レール８４，８４は、互いに延在方向に直交する方向へ所定の間隔をあけて配されているとともに、第１側壁２２ａの上端部よりも上方に位置している。
本実施形態では、図６に示すように、台車部レール８４は、フレーム８２の上部に設けられていて、ウェブ８４ａとフランジ８４ｂとを有している。
なお、台車部レール８４は、溝状に形成されていてもよい。
【００１９】
図３および図６に示すように、第２座面３６の下面には、一対の台車部レール８４に沿って走行する車輪３８が設けられている。これにより、第２着座部３Ｂは、台車部８１上を台車部レール８４に沿って移動可能に構成されている。
本実施形態では、図６に示すように、車輪３８は、台車部レール８４のウェブ８４ａに沿って走行する第１車輪３８ａと、台車部レール８４のフランジ８４ｂに沿って走行する第２車輪３８ｂとが一対となっている。そして、車輪３８は、１つの台車部レール８４に対して複数設けられていて、少なくとも第２座面３６の両側端部３６ａ，３６ｂ（図３参照）近傍にそれぞれ設けられている。
また、図６に示すように、台車部レール８４の端部には、第２着座部３Ｂが台車部レール８４上を移動することを拘束するストッパ８７が設けられている。そして、第２着座部３ｂには、このストッパ８７が干渉可能な凸部が（不図示）形成されていて、ストッパ８７は、付勢部材（不図示）によって凸部と干渉する位置に付勢されている。
このストッパ８７と凸部とが干渉することによって、車輪３８は台車部レール８４上を走行できないようになっている。
そして、台車部８１が取付部４と当接すると、取付部４が付勢部材の付勢力に抗してストッパ８７を内側へ押圧し、ストッパ８７を凸部と干渉しない位置へ移動させている。
このため、台車部８１が取付部４と当接すると、ストッパ８７が凸部と干渉しない位置へ移動するため、車輪３８は台車部レール８４上を走行可能となる。これにより、第２着座部３Ｂが台車部レール８４に沿って移動可能となっている。
【００２０】
図１に示すように、支持部５は、第１側壁２２ａと対向する第２側壁２２ｃの外方に立設する支柱５１と、棒状に形成され一方の端部５２ａ近傍が支柱５１に揺動可能に保持された揺動部材５２と、棒状に形成され揺動部材５２と所定の間隔をあけて平行に設置されるとともに一方の端部５３ａ近傍が支柱５１に揺動可能に保持されたリンク部材５３と、揺動部材５２の他方の端部５２ｂおよびリンク部材５３の他方の端部５３ｂ取り付けられた接続部材５４とを備えている。
【００２１】
支柱５１は、第２側壁２２ｃの幅方向の略中央に位置し、上端部５１ａが第２側壁２２ｃの上端部よりも上方となるように設置されている。
揺動部材５２は、一方の端部５２ａが他方の端部５２ｂよりも上側となり、この一方の端部５２ａから他方の端部５２ｂ側へやや移動した位置に揺動支点５２ｃが設けられていて、この揺動支点５２ｃを中心として第２側壁２２ｃと平行な鉛直面内において揺動可能に構成されている。この揺動支点５２ｃは、支柱５１の上端部５１ａ近傍で第２側壁２２ｃの上端部よりも上方に位置している。
また、揺動部材５２は、他方の端部５２ｂが浴槽２内に入るように設置されている。そして、揺動部材５２は、介護者が手動で揺動させるように構成されている。
【００２２】
リンク部材５３は、一方の端部５３ａが他方の端部５３ｂよりも上側となり、この一方の端部５３ａに揺動支点５３ｃが設けられていて、この揺動支点５３ｃを中心として揺動部材５２と平行な状態で揺動可能に構成されている。この揺動支点５３ｃは、揺動部材５２の揺動支点５２ｃと同じ高さに位置している。
また、リンク部材５３は、他方の端部５３ｂが浴槽２内に入るように設置されている。
【００２３】
接続部材５４は、揺動部材５２およびリンク部材５３の先端部（他方の端部５２ｂ，３３ｂ）に、揺動部材５２およびリンク部材５３が揺動する鉛直面内において回転可能に保持されている。これにより、接続部材５４は、揺動部材５２およびリンク部材５３が揺動したときに、その向きを変えずに揺動部材５２およびリンク部材５３とともに移動することができる。
【００２４】
図７に示すように、取付部４は、後端部が支持部５の接続部材５４に接続された略矩形板状の第１板部材４１と、第１板部材４１の前端部に接続された第２板部材４２とを備えている。
第１板部材４１には、着座部３が取り付けられる。また、第１板部材４１および第２板部材４２は、その上面を着座部３がスライド可能となっている。
【００２５】
接続部材５４と第１板部材４１との間には第１ヒンジ４３が介装されている。これにより、第１板部材４１は、接続部材５４に第２側壁２２ｃに直交する鉛直面内において回転可能に保持されている。
また、第１板部材４１と第２板部材４２との間には第２ヒンジ４４が介装されている。これにより、第２板部材４２は、第１板部材４１に第２側壁２２ｃに直交する鉛直面内において回転可能に保持されている。
【００２６】
そして、浴槽２の扉部２４が下降しているときには、第１板部材４１および第２板部材４２を水平状態とすることができる。このとき、第１板部材４１は浴槽２の内部に配され、第２板部材４２は第１側壁２２ａおよび扉部２４の上方に配されている。
また、図２に示すように、浴槽２の扉部２４が上昇しているときには、第１板部材４１を水平状態とし、第２板部材４２を扉部２４の内面に接触させて傾斜状態とすることで、第１板部材４１および第２板部材４２を浴槽２の内部に配することができる。
【００２７】
また、図８（ａ），（ｂ）に示すように、第１板部材４１に着座部３（図１参照）が装着されていないときには、第１板部材４１および第２板部材４２を鉛直状態とすることで、第１板部材４１および第２板部材４２を浴槽２内部の後方に配することができる。このとき、浴槽２の中央部が開放されるため、要介護者は浴槽２の底部２１（図８（ａ）参照）に座るようにして入浴することができる。
【００２８】
また、図１に示すように、取付部４に設置された着座部３は、接続部材５４を介して揺動部材５２と連結されていることにより、その向きを変えずに揺動部材５２とともに移動することができる。
そして、揺動部材５２の支柱５１との間の角度を調整することによって、着座部３の位置が調整される。例えば、着座部３は、図１や図９に示すように、浴槽２に対する位置を変更することができる。このとき、取付部４に取り付ける着座部３の向きも変更することができる。
【００２９】
図７に示すように、第１板部材４１には、水平状態において上下方向に貫通し第１着座部３Ａの突起部３３が挿通される突起部挿通孔４５が形成されている。突起部挿通孔４５は、前後方向に延びる長孔４５ａと、この長孔４５ａの幅よりも大きい径で長孔４５ａの長さ方向の中間部に長孔４５ａと重なるように位置する孔部４５ｂとを有している。
長孔４５ａは、円柱部材３４（図５参照）の径よりもやや大きく、円板部材３５（図５参照）の径よりも小さい幅に形成されている。また、孔部４５ｂは、円板部材３５の径よりも大きい径に形成され、突起部３３が挿入可能となっている。
【００３０】
そして、孔部４５ｂから突起部挿通孔４５へ突起部３３が挿通され、突起部３３の円板部材３５が孔部４５ｂの下方に位置すると、円柱部材３４が長孔４５ａ内を長孔４５ａの長さの範囲で移動可能となるため、第１着座部３Ａは、長孔４５ａの長さの範囲で移動可能となっている。
また、長孔４５ａに挿通されている円柱部材３４がその軸を中心として回転可能となるため、第１着座部３Ａは、突起部３３が突起部挿通孔４５へされた状態において円柱部材３４の軸を中心として回転可能となっている。
このとき、長孔４５ａは円板部材３５の径よりも小さい幅に形成されているため、突起部３３が長孔４５ａから外れないようになっている。
【００３１】
また、第１板部材４１には、水平状態において前後方向に延びる一対の第１取付部レール４６，４６が設けられている。この一対の第１取付部レール４６，４６は、図３に示す台車部８１の台車部レール８４と同様に形成されている。そして、第２着座部３Ｂの下面に設けられた車輪３８（図６参照）がこの第１取付部レール４６，４６に沿って移動可能となっている。
また、第２板部材４２にも、水平状態において前後方向に延びる一対の第２取付部レール４７，４７が設けられている。この一対の第２取付部レール４７，４７も、図３に示す台車部８１の台車部レール８４と同様に形成されている。そして、第２着座部３Ｂの下面に設けられた車輪３８（図６参照）がこの第２取付部レール４７，４７に沿って移動可能となっている。
【００３２】
そして、第１取付部レール４６と第２取付部レール４７とは、同一直線上に連続するように配設されている。
また、図３に示すように、第１板部材４１および第２板部材４２が水平状態となり、台車部８１が第２板部材４２の前方に位置すると、第１取付部レール４６、第２取付部レール４７および台車部レール８４が同一直線上に配設されている。
【００３３】
このとき、台車部８１に第２板部材４２が当接して、台車部８１のストッパ８７（図６参照）が解除されると、車輪３８が第１取付部レール４６、第２取付部レール４７および台車部レール８４に沿って移動可能となっている。これにより、第２着座部３Ｂは、台車部８１から取付部４（第１板部材４１および第２板部材４２）、また、取付部４から台車部８１へ移動可能となっている。
第１板部材４１には、第２着座部３Ｂが装着されたときに第２着座部３Ｂを固定する固定部材（不図示）が設けられている。
【００３４】
（入浴システムの使用方法）
次に、上述した入浴システム１の使用方法について説明する。
まず、第１着座部３Ａを用いた使用方法について説明する。
まず、図７もしくは図９に示すように、取付部４が所定の位置に配されるように、揺動部材５２を揺動させ、揺動部材５１の位置を固定する。
このとき、浴槽２の扉部２４を下降させて、開口２３を開放した状態とする。また、第１板部材４１および第２板部材４２を水平状態とする。
【００３５】
続いて、取付部４へ第１着座部３Ａを設置する。
第１着座部３Ａの突起部３３（図５参照）を、第１板部材４１の突起部挿通孔４５（図７参照）へ孔部４５ｂから挿通させ、第１着座部３Ａの下面を取付部４の上面に当接させる。そして、突起部３３の円柱部材３４を長孔４５ａ内で移動させて、第１着座部３Ａを前方へ移動させる。
そして、第１着座部３Ａを回転させてその向きが前方を向くように調整する。
【００３６】
続いて、第１着座部３Ａに要介護者を着座させ、要介護者を着座させたまま第１着座部３Ａを後方へ移動させる。
そして、第１着座部３Ａを後方へ移動させた後に、第１着座部３Ａを突起部３３の軸を中心に回転させて向きを調整する。これにより、第１着座部３Ａは図１のように設置され、要介護者は、脚を第１着座部３Ａよりも下方に下ろすことができる。
【００３７】
続いて、図２に示すように、浴槽２の扉部２４を上昇させて開口２３を閉鎖する。そして、浴槽２へ給湯手段やタンク６１から給湯する。
そして、浴槽２に湯が供給されて、入浴が可能となる。また操作部７により第１着座部３Ａを下降させて入浴することも可能である。
【００３８】
このとき、タンク６１に貯められた湯を浴槽２へ供給することにより、蛇口などの給湯手段から浴槽２へ湯を供給する場合と比べて、短時間で浴槽２へ湯を供給することができる。
なお、要介護者が第１着座部３Ａに着座する前に、浴槽２内の第１側壁２２ａの上端部よりも下側まで湯を溜めておいてもよく、これにより、要介護者が第１着座部３Ａに着座した後の給湯に係る時間を短縮させることができる。
【００３９】
続いて、入浴が終了したら、第１側壁２２ａの上端部よりも上方の湯をタンク６１に戻す、または排水する。
そして、第１側壁２２ａの上端部よりも上方の湯が排出された後に、図１に示すように、扉部２４を下降させて、開口２３を開放させる。
続いて、第１着座部３Ａを回転させて要介護者が前方を向くように調整し、そのまま第１着座部３Ａを前方へ移動させる。
このようにして、要介護者を浴槽２の外方へ移動させることができる。
【００４０】
次に、第２着座部３Ｂを用いた入浴方法について説明する。
まず、第１着座部３Ａを用いる場合と同様に、揺動部材５２を揺動させて取付部４の位置を調整する。
続いて、図３に示すように、要介護者を乗せた車椅子８を、その第２着座部３Ｂが取付部４の前方となる位置に横付けする。このとき、台車部レール８４と、第１取付部レール４６および第２取付部レール４７とが同一直線上に配置させる。また、台車部８１と第２板部材４２とを当接させて、ストッパ８７を解除させる。
続いて、第２着座部３Ｂを、その車輪３８が台車部レール８４、第２取付部レール４７、第１取付部レール４６の順に沿って移動するように後方へ移動させ、図４に示すように、第１板部材４１上に設置する。そして、固定部材によって第２着座部３Ｂと第１板部材４１とを固定する。
【００４１】
続いて、第１着座部３Ａを使用するときと同様に、浴槽２の扉部２４を上昇させて、浴槽２へ給湯する。そして、浴槽２湯が供給された後に、要介護者を入浴させる。また操作部７により第２着座部３Ｂを下降させて入浴することも可能である。
また、入浴が終了したあとも、第１着座部３Ａを使用するときと同様に、第１側壁２２ａの上端部よりも上方の湯をタンクに戻すか排水し、扉部２４を下降させて、開口２３を開放させる。
【００４２】
続いて、車椅子８の台車部８１を第２板部材４２の前方へ横付けし、第２板部材４２に当接させてストッパ８７を解除させる。
そして、第２着座部３Ｂと第１板部材４１との固定を解除し、第２着座部３Ｂをその車輪３８が第１取付部レール４６、第２取付部レール４７、台車部レール８４の順に沿って移動するように前方へ移動させ、台車部８１の上方に第２着座部３Ｂを設置し、固定する。
このようにして、要介護者を浴槽２の外方へ移動させることができる。
【００４３】
なお、着座部３を使用しない場合は、図８（ａ），（ｂ）に示すように、第１ヒンジ４３を中心に取付部４を上方に回転させて鉛直状態とし、扉部２４を上昇させ開口２３を塞ぐことで、通常の浴槽２となる。これにより、要介護者が浴槽２の底部２１（図８（ｂ）参照）に座って入浴することができる。
【００４４】
次に、上述した入浴システム１の効果について図面を用いて説明する。
本実施形態による入浴システム１によれば、取付部４に第１着座部３Ａおよび第２着座部３Ｂのうち一方を選択して取りつけることができるため、介護度の異なる要介護者を同一の入浴システム１で入浴させることができる効果を奏する。
また、取付部４を鉛直状態とさせて折りたたむことで、通常の浴槽として使用することもできるため、使用できる要介護者の幅を広げることができる。
このため、介護者は、介護度の異なる要介護者毎に入浴システムを変える必要がないため、介護にかかる労力を軽減させることができる。
また、介護施設などにおいては、数種類の入浴システムを設置する必要がないため、入浴システムの設置スペースを縮小することができるとともに、入浴システムにかかるメンテナンスを軽減させることができる。
【００４５】
以上、本発明による入浴システム１の実施形態について説明したが、本発明は上記の実施形態に限定されるものではなく、その趣旨を逸脱しない範囲で適宜変更可能である。
例えば、上述した実施形態では、介護を必要とする要介護者を入浴させているが、介護を必要としない入浴者も使用できる入浴システムとしてもよい。
また、上述した実施形態では、第１側壁２２ａは、他の側壁２２ｂ〜２２ｄよりも低い高さに形成されているが、第１側壁２２ａの一部がその他よりも低い高さに形成されて、第１側壁２２ａに凹部が形成されている形態としてもよい。
また、上述した実施形態では、揺動部材５２は、手動により揺動可能となっているが、例えば、電動により揺動可能となっていてもよい。
【符号の説明】
【００４６】
１  入浴システム
２  浴槽
３  着座部
３Ａ  第１着座部
３Ｂ  第２着座部
４  取付部
５  支持部
８  車椅子
４６  第１取付部レール
４７  第２取付部レール
８１  台車部
８４  台車部レール
【図１】
0005676997.tif 000002
【図２】
0005676997.tif 000003
【図３】
0005676997.tif 000004
【図４】
0005676997.tif 000005
【図５】
0005676997.tif 000006
【図６】
0005676997.tif 000007
【図７】
0005676997.tif 000008
【図８】
0005676997.tif 000009
【図９】
0005676997.tif 000010